(57)【要約】      （修正有）【課題】既に行った取引の情報を、容易に変更可能にすることが可能な貨幣処理装置を提供する。【解決手段】貨幣処理装置は、貨幣に関する取引を行う施設において、貨幣の出入を管理する。貨幣処理装置は、取引のために、貨幣の受け入れ、及び、貨幣の払い出しの少なくとも一方を伴う処理を行う処理部（１００〜７００）と、取引の情報を、当該取引を構成する属性情報と対応付けて記憶する記憶部５１と、操作者の操作に応じて、記憶部が記憶している取引について、属性情報を変更する変更部（制御部８）と、を備えている。【選択図】図２
2019169071.tif 000002
【特許請求の範囲】
【請求項１】
貨幣に関する取引を行う施設において、前記貨幣の出入を管理する貨幣処理装置であって、
前記取引のために、貨幣の受け入れ、及び、貨幣の払い出しの少なくとも一方を伴う処理を行う処理部と、
前記取引の情報を、当該取引を構成する属性情報と対応付けて記憶する記憶部と、
操作者の操作に応じて、前記記憶部が記憶している取引について、前記属性情報を変更する変更部と、を備えている貨幣処理装置。
【請求項２】
前記記憶部は、前記属性情報の、変更が許容される変更前と変更後との組み合わせを記憶しており、
前記変更部は、前記属性情報の組み合わせに従って、前記属性情報の変更を制限する請求項１に記載の貨幣処理装置。
【請求項３】
前記操作者に情報を提示する情報提示部を備え、
前記情報提示部は、前記操作者が属性情報を変更するときに、前記操作者が変更することができる属性情報を提示する請求項１又は２に記載の貨幣処理装置。
【請求項４】
前記処理部は、貨幣の計数を行って貨幣を受け入れる入金系処理、及び、貨幣の計数を行って貨幣を払い出す出金系処理の少なくとも一方を行うよう構成され、
前記変更部は、前記属性情報のうち、前記処理部が計数した貨幣の金額情報を変更することを禁止する請求項１〜３のいずれか１項に記載の貨幣処理装置。
【請求項５】
前記処理部は、前記操作者の操作に応じて、所定の期間に行った前記取引結果を集計する締め処理を行い、
前記変更部は、前記締め処理が行われた後、前記操作者が前記属性情報を変更することを禁止する請求項１〜４のいずれか１項に記載の貨幣処理装置。
【請求項６】
貨幣に関する取引を行う施設において、前記貨幣の出入を管理する貨幣処理システムであって、
前記取引のために、貨幣の受け入れ、及び、貨幣の払い出しの少なくとも一方を伴う処理を行う、少なくとも一つの貨幣処理装置と、
ネットワークを介して前記貨幣処理装置に接続されかつ、前記取引の情報を、当該取引を構成する属性情報と対応付けて記憶する管理コンピュータと、
操作者の操作に応じて、前記管理コンピュータが記憶している取引について、前記属性情報を変更する変更部と、を備えている貨幣処理システム。
【発明の詳細な説明】
【技術分野】
【０００１】
ここに開示する技術は、貨幣処理装置及び貨幣処理システムに関する。
【背景技術】
【０００２】
特許文献１には、銀行の営業店に設置された出納機が記載されている。出納機は、営業店全体の貨幣の入出金、及び、営業店全体の在高を管理する。
【先行技術文献】
【特許文献】
【０００３】
【特許文献１】特許第４０８９７７５号公報
【発明の概要】
【発明が解決しようとする課題】
【０００４】
銀行の営業店においては、操作者が出納機を操作することにより、例えば顧客の貨幣を出納機に収納する入金処理が行われる。また、操作者が出納機を操作することにより、例えば顧客への貨幣を出納機から払い出す出金処理が行われる。入金処理や出金処理が行われると、当該処理に関する情報（例えば、処理を行った日時、処理の内容、処理を行った操作者の情報、伝票金額、科目番号、口座番号、及び、明細データ等）が、通番を付けて、一取引として、出納機により管理される。
【０００５】
ここで、貨幣を出納機に収納する入金系の処理としては、前述の通り、顧客の貨幣を出納機に収納する入金処理の他に、営業店内に設置された他の装置から取り出した貨幣を出納機に収納する回金入金処理も存在する。操作者は、これから行おうとする処理が「入金処理」であるか、「回金入金処理」であるかを指定する操作を行った上で、出納機に、貨幣を収納する処理を実行させる。それによって、処理の内容（入金処理又は回金入金処理）、処理を行った操作者の情報、及び、伝票金額（入金金額）等が、互いに紐付けられて管理されることになる。
【０００６】
ところで、操作者が「入金処理」を指定すべきところ、「回金入金処理」と誤って指定して、出納機に貨幣を収納してしまうことが起こり得る。この場合、誤った処理の内容が、伝票金額（入金金額）等と紐付けられて管理されることになってしまう。
【０００７】
従来の出納機であれば、既に行った取引の情報を、回金入金処理から入金処理へと訂正しようとすると、当該取引を取り消さなければならない。取引を取り消すと、当該取引に係る処理の実行時に収納した貨幣が出納機から払い出されることになる。操作者は、その後、出納機の操作をし直して、もう一度、出納機に全ての貨幣を収納する入金処理（回金入金処理）を実行させなければならない。このように、入金系の処理を伴う取引の取り消しを行うと、当初の処理時に貨幣の収納を行い、取消時に貨幣の払い出しを行い、二回目の処理時に貨幣の収納をもう一度行うことになるため、合計三回も、貨幣の出し入れを行わなければならない。
【０００８】
尚、入金系の処理に限らず、出金系の処理においても、顧客への貨幣を出納機から払い出す出金処理の他に、営業店内に設置された他の装置に収納する貨幣を出納機から払い出す回金出金処理が存在している。そのため、出金系の処理においても、取引の取り消しを行うと、貨幣の出し入れを、三回行わなければならないことになる。
【０００９】
貨幣の出入の管理を行う貨幣処理装置において、既に行った取引の情報を訂正しようとすると、長時間を要してしまうと共に、その操作も煩雑になってしまう。
【００１０】
また、操作者は、取引の取り消し操作を行った後に、もう一度、出納機を、一から操作し直さないとならないため、再び、操作間違いをしてしまう可能性も高まってしまう。
【００１１】
ここに開示する技術はかかる点に鑑みてなされたものであり、その目的とするところは、既に行った取引の情報を、容易に変更可能にすることにある。
【課題を解決するための手段】
【００１２】
本願発明者は、例えば「入金処理」と「回金入金処理」とを相互に変更する上で、「入金処理」も「回金入金処理」も、貨幣を受け入れる点では共通しており、同様に、「出金処理」と「回金出金処理」とを相互に変更する上で、「出金処理」も「回金出金処理」も、貨幣を受け入れる点では共通している点に着目をした。そして、本願発明者は、取引の情報のみを変更することができるようにすれば、取引の取り消しに伴う貨幣の出し入れを行わなくても済むことに気づき、ここに開示する技術を完成するに至った。
【００１３】
ここに開示する技術は、貨幣に関する取引を行う施設において、前記貨幣の出入を管理する貨幣処理装置に係る。貨幣処理装置は、前記取引のために、貨幣の受け入れ、及び、貨幣の払い出しの少なくとも一方を伴う処理を行う処理部と、前記取引の情報を、当該取引を構成する属性情報と対応付けて記憶する記憶部と、操作者の操作に応じて、前記記憶部が記憶している取引について、前記属性情報を変更する変更部と、を備えている。
【００１４】
この構成によると、記憶部は、施設において取引が行われると、その取引の情報を、取引を構成する属性情報と対応付けて記憶する。尚、取引は、処理部が貨幣の受け入れ、及び、貨幣の払い出しの少なくとも一方を伴う処理を行う取引の他にも、処理部が貨幣の受け入れ、及び、貨幣の払い出しの少なくとも一方を伴う処理を行わない取引も含む。例えば手入力によって伝票金額を入力すると共に、貨幣を手持ち管理する取引の属性情報も、記憶部は記憶する。
【００１５】
記憶部に記憶されている取引の属性情報を訂正したいときに、変更部は、操作者の操作に応じて属性情報を変更する。尚、変更した属性情報は、前記記憶部に記憶してもよい。取引の属性情報を訂正したいときに、操作者は、従来のように当該取引を取り消した上で、もう一度、取引（及び処理）を行わなくてもよい。取引の取り消しに伴って、貨幣の出し入れを繰り返す必要がない。また、取引（及び処理）を、一からやり直さないため、操作者の操作が煩雑になることが防止されると共に、操作間違いをしてしまう可能性を低くすることができる。
【００１６】
前記記憶部は、前記属性情報の、変更が許容される変更前と変更後との組み合わせを記憶しており、前記変更部は、前記属性情報の組み合わせに従って、前記属性情報の変更を制限する、としてもよい。
【００１７】
変更部は、操作者の操作に応じて取引に含まれる属性情報を変更するが、属性情報によっては、変更を制限した方が良い場合がある。例えば、変更前の属性情報が含まれるカテゴリーと、変更後の属性情報が含まれるカテゴリーが相違する場合である。
【００１８】
そこで、記憶部に、変更が許容される、属性情報の変更前と変更後との組み合わせを記憶しておき、記憶されている情報に基づいて、変更部が、属性情報の変更を制限する。このことにより、属性情報の変更を、スムースかつ、適切に行うことができる。
【００１９】
前記貨幣処理装置は、前記操作者に情報を提示する情報提示部を備え、前記情報提示部は、前記操作者が属性情報を変更するときに、前記操作者が変更することができる属性情報を提示する、としてもよい。
【００２０】
属性情報の変更には、許容される変更と、禁止される変更とが存在する。変更前の属性情報に対して、変更することが許容される変更後の選択肢を操作者に提示すれば、操作者は、スムースかつ、適切に、属性情報を変更することができる。
【００２１】
また、ある取引について、属性情報としての処理を変更すると、新たな属性情報が必要になる場合がある。情報提示部が、操作者に、新たに入力することが必要な属性情報を、提示することによって、操作者は、属性情報の変更をスムースかつ、適切に行うことができる。尚、属性情報を新たに入力することは、属性情報を変更することの一形態である。
【００２２】
さらに、属性情報の変更を行おうとする操作者に応じて、許容される変更と、禁止される変更とを予め設定してもよい。例えば認証処理によって特定した操作者に応じて、変更前の属性情報に対し、変更することが許容される変更後の選択肢を操作者に提示すれば、操作者は、スムースかつ、適切に、属性情報を変更することができる。
【００２３】
前記処理部は、貨幣の計数を行って貨幣を受け入れる入金系処理、及び、貨幣の計数を行って貨幣を払い出す出金系処理の少なくとも一方を行うよう構成され、前記変更部は、前記属性情報のうち、前記処理部が計数した貨幣の金額情報を変更することを禁止する、としてもよい。
【００２４】
処理部が計数をした貨幣の金額情報を変更しようとすると、処理部による貨幣の計数をやり直さなければならない。処理部が貨幣の再計数を行うためには、貨幣処理装置内の貨幣を装置の外に払い出したり、貨幣を貨幣処理装置内へ取り込んだりする必要がある。貨幣の出し入れを行うと時間がかかってしまう。
【００２５】
そこで、処理部が計数をした貨幣の金額情報を変更することを禁止してもよい。こうすることで、既に行った取引の属性情報を、容易に変更することが実現する。
【００２６】
尚、入金系処理において、例えば正券と損券とが混在しているようなときには、処理部が正券を計数すると共に、損券は、別途計数を行い、損券の計数結果を、処理部が行った計数結果に手入力により加えることによって、当該入金系処理の金額情報（つまり、伝票金額）とする場合がある。手入力された金額情報は、変更しても、処理部による再計数が不要であるため、変更部は、金額情報のうち、手入力された金額情報を変更することは、許容してもよい。
【００２７】
また、金額情報を変更することに伴い、貨幣を追加で受け入れる、又は、貨幣を追加で払い出すのであれば、変更部は、処理部が計数をした貨幣の金額情報の変更を許容してもよい。既に行った取引を取り消す場合は、前述したように、取引に係る貨幣の全てを、三回、出し入れしなければならないが、貨幣を追加で受け入れたり、貨幣を追加で払い出したりするだけであれば、貨幣の数は多くならないことが予想されるため、所要時間も短くかつ、操作者の操作も煩雑にならない。
【００２８】
前記処理部は、前記操作者の操作に応じて、所定の期間に行った前記取引結果を集計する締め処理を行い、前記変更部は、前記締め処理が行われた後、前記操作者が前記属性情報を変更することを禁止する、としてもよい。
【００２９】
締め処理を行った後に属性情報を変更することを許容すると、取引の集計結果も変わってしまう。締め処理が行われた後は、操作者が属性情報を変更することを禁止することにより、取引情報の管理を適切に行うことができる。締め処理を行った後であっても、当該締め処理を取り消したときには、属性情報を変更することが許容される。
【００３０】
ここに開示する技術は、貨幣に関する取引を行う施設において、前記貨幣の出入を管理する貨幣処理システムである。貨幣処理システムは、前記取引のために、貨幣の受け入れ、及び、貨幣の払い出しの少なくとも一方を伴う処理を行う、少なくとも一つの貨幣処理装置と、ネットワークを介して前記貨幣処理装置に接続されかつ、前記取引の情報を、当該取引を構成する属性情報と対応付けて記憶する管理コンピュータと、操作者の操作に応じて、前記管理コンピュータが記憶している取引について、前記属性情報を変更する変更部と、を備えている。
【００３１】
ここで、変更部は、管理コンピュータに含まれていてもよいし、貨幣処理装置に含まれていてもよい。また、変更部は、管理コンピュータ及び貨幣処理装置とは独立して設けられていてもよい。
【００３２】
管理コンピュータは、例えば銀行の営業店舗において、複数の貨幣処理装置を含む、営業店舗全体の貨幣の出入を管理してもよい。
【００３３】
前記の構成によると、変更部は、管理コンピュータに記憶されている取引の属性情報を訂正したいときに、操作者の操作に応じて属性情報を変更するから、既に行った取引の属性情報を、容易に変更することができる。
【発明の効果】
【００３４】
以上説明したように、前記の貨幣処理装置及び貨幣処理システムによると、既に行った取引の属性情報を、容易に変更することができる。
【図面の簡単な説明】
【００３５】
【図１】図１は、出納機の外観を例示する図である。
【図２】図２は、出納機の構成例を示すブロック図である。
【図３】図３は、出納機が実行する処理に係るフローチャートである。
【図４Ａ】図４Ａは、回金入金処理のときに、表示部に表示される画面の遷移例の一部を示す図である。
【図４Ｂ】図４Ｂは、回金入金処理のときに、表示部に表示される画面の遷移例の一部を示す図である。
【図４Ｃ】図４Ｃは、回金入金処理のときに、表示部に表示される画面の遷移例の一部を示す図である。
【図５Ａ】図５Ａは、取引の取り消しを行うときに、表示部に表示される画面の遷移例の一部を示す図である。
【図５Ｂ】図５Ｂは、取引の取り消しを行うときに、表示部に表示される画面の遷移例の一部を示す図である。
【図５Ｃ】図５Ｃは、取引の取り消しを行うときに、表示部に表示される画面の遷移例の一部を示す図である。
【図６Ａ】図６Ａは、属性情報の訂正を行うときに、表示部に表示される画面の遷移例の一部を示す図である。
【図６Ｂ】図６Ｂは、属性情報の訂正を行うときに、表示部に表示される画面の遷移例の一部を示す図である。
【図６Ｃ】図６Ｃは、属性情報の訂正を行うときに、表示部に表示される画面の遷移例の一部を示す図である。
【図７】図７は、属性情報の訂正が許容される場合と、訂正が禁止される場合とを例示する説明図である。
【図８】図８は、各処理について、訂正が許容される属性情報、及び、訂正が禁止される属性情報を例示する図である。
【図９】図９は、属性情報の訂正が禁止されるタイミングを例示する説明図である。
【図１０】図１０は、取引のログを示す画面を例示する図である。
【図１１】図１１は、属性情報を訂正した取引の属性情報の印字例を示す図である。
【図１２】図１２は、貨幣処理システムの構成例を示す図である。
【発明を実施するための形態】
【００３６】
以下、貨幣処理装置、及び、貨幣処理システムの実施形態を図面に基づいて詳細に説明する。以下の説明は、貨幣処理装置、及び、貨幣処理システムの一例である。
【００３７】
（貨幣処理装置の構成例）
図１及び図２は、貨幣処理装置１の構成例を示している。貨幣処理装置１は、金融機関（例えば銀行）の営業店舗等に設けられる。貨幣処理装置１は、営業店舗全体における貨幣の出入を管理する出納機である。貨幣処理装置１は、貨幣の出入の管理に際して、紙幣及び硬貨を、装置内に受け入れる入金系処理や、紙幣及び硬貨を、装置外に払い出す出金系処理等の各種の処理を行う。
【００３８】
貨幣処理装置１は、バラ紙幣処理装置１００、帯封紙幣処理装置２００、バラ硬貨処理装置３００、包装硬貨処理装置４００、損貨・記念貨処理装置５００、有価媒体処理装置６００、及び、貨幣保管装置７００、及び、これらの各処理装置１００〜７００を統合制御する制御部８を含んで構成されている。
【００３９】
バラ紙幣処理装置１００は、入金口に投入されたバラ紙幣を、処理装置内の収納部に収納する入金処理や、収納部に収納しているバラ紙幣を、出金口に払い出す出金処理を行うよう構成されている。
【００４０】
帯封紙幣処理装置２００は、所定枚数（例えば１００枚）の紙幣を一つに束ねた帯封紙幣を作成しかつ、帯封紙幣を処理装置内に収納するよう構成されていると共に、指定された金種及び束数の帯封紙幣を、処理装置外に出金する処理を行うよう構成されている。
【００４１】
バラ硬貨処理装置３００は、入金口に投入されたバラ硬貨を、処理装置内の収納部に収納する入金処理や、収納部に収納しているバラ硬貨を、出金口に払い出す出金処理を行うよう構成されている。
【００４２】
包装硬貨処理装置４００は、所定枚数（例えば５０枚）の硬貨を円筒形状に包装した包装硬貨を作成しかつ、包装硬貨を処理装置内に収納するよう構成されていると共に、指定された金種及び本数の包装硬貨を、処理装置外に出金する処理を行うよう構成されている。
【００４３】
損貨・記念貨処理装置５００は、傷みや汚れがひどいため、バラ硬貨処理装置３００で処理することができないバラ硬貨（損貨）、並びに、バラ硬貨処理装置３００が処理対象としていない記念硬貨などを処理装置内に収納する入金処理を行うよう構成されている。損貨・記念貨処理装置５００は、有価媒体処理装置６００の上面に配置されている。
【００４４】
有価媒体処理装置６００は、傷みや汚れがひどいため、バラ紙幣処理装置１００で処理することができないバラ紙幣（損券）、及び、バラ紙幣処理装置１００が処理対象としていない小切手等の有価媒体などを処理装置内に収納する入金処理を行うよう構成されている。
【００４５】
貨幣保管装置７００は、紙幣や硬貨、又は、有価証券類等を保管する収納ドロワを複数備えており、操作者が、収納ドロワを開閉することによって、収納ドロワに紙幣等を収納したり、収納ドロワから紙幣等を取り出したりするよう構成されている。
【００４６】
制御部８は、バラ紙幣処理装置１００、帯封紙幣処理装置２００、バラ硬貨処理装置３００、包装硬貨処理装置４００、損貨・記念貨処理装置５００、有価媒体処理装置６００、貨幣保管装置７００を制御することによって、銀行の営業店舗における貨幣の出入の管理を行う。貨幣処理装置１は、当該貨幣処理装置１に収納されている紙幣及び硬貨だけでなく、営業店舗に設けられている金庫に保管している貨幣の在高、及び、手持ち管理の貨幣の在高の管理も行うように構成されている。
【００４７】
貨幣処理装置１はまた、第一ターミナル部４１、第二ターミナル部４２、プリンタ５０、記憶部５１、及び、通信部５２を備えている。
【００４８】
第一ターミナル部４１は、帯封紙幣処理装置２００の上面に配置されており、第二ターミナル部４２は、包装硬貨処理装置４００の上面に配置されている。第一ターミナル部４１及び第二ターミナル部４２は同じ構成を有している。第一ターミナル部４１及び第二ターミナル部４２はそれぞれ、例えばタッチパネル式の表示操作部を有し、操作者に向けて情報を表示すると共に、操作者の操作を受け付ける。表示操作部は、表示を行う表示部と、操作者の操作を受け付ける操作部とに分けてもよい。第一ターミナル部４１及び第二ターミナル部４２はまた、操作者の認証を行うために、カード情報を読み取るカードリーダを有している。尚、以下の説明において、第一ターミナル部４１及び第二ターミナル部４２を総称する場合は、単にターミナル部４と呼ぶ場合がある。
【００４９】
プリンタ５０は、例えば感熱式プリンタや、インクジェットプリンタによって構成され、取引を行う毎に伝票の印刷をしたり、各種のジャーナルの印刷を行ったりする。プリンタ５０は、バラ紙幣処理装置１００の上面と、バラ硬貨処理装置３００の上面とのそれぞれに配置されている。
【００５０】
記憶部５１は、例えばハードディスクドライブや、不揮発性メモリによって構成され、各種の情報を記憶する。通信部５２は、図１では図示を省略するネットワークにおける信号の送受信を行う。
【００５１】
（貨幣処理装置における処理）
貨幣処理装置１は、前述したように、銀行の営業店舗において行われる各種の取引に伴い発生する貨幣の出入の管理を行う。つまり、貨幣処理装置１は、取引毎に、取引を構成する属性情報を、記憶部５１に記憶する。
【００５２】
ここで、「取引」とは、本構成例では、銀行の営業店舗において行われかつ、貨幣処理装置１が通番を付けて管理をするイベントである。取引は、貨幣の受け入れを行う入金系処理、又は、貨幣の払い出しを行う出金系処理を伴う。具体的に、銀行の営業店舗における取引としては、顧客の貨幣を受け入れる入金処理を伴う取引、顧客に貨幣を払い出す出金処理を伴う取引、営業店舗内における装置内から取り出した貨幣を貨幣処理装置に収納する回金入金処理を伴う取引、貨幣処理装置から取り出した貨幣を店舗内における別の装置内に収納する回金出金処理を伴う取引等を例示することができる。
【００５３】
「処理」とは、本構成例では、貨幣の出入に関する処理であり、貨幣を受け入れる入金系処理、及び、貨幣を払い出す出金系処理を含む。貨幣を貨幣処理装置１内に取り込んで収納部に収納することは、入金系処理に相当し、貨幣を収納部から繰り出して貨幣処理装置１外に払い出すことは、出金系処理に相当する。貨幣を貨幣処理装置１内の収納部に収納せずに、他の場所（金庫や手持ち）において保管する場合であっても、入金系処理に相当する場合があり、同様に、貨幣を貨幣処理装置１外に払い出さずに、他の場所の貨幣を出金に用いる場合であっても、出金系処理に相当する場合がある。具体的に、銀行の営業店舗における取引に伴う処理としては、前述した入金処理、出金処理、回金入金処理、及び、回金出金処理の他にも、締後入金処理、別計算入金処理、得意先持帰処理、袋金戻し処理、一括回収処理、締後出金処理、別計算出金処理、得意先持出処理、袋金準備処理、及び、一括装填処理が、例示される。
【００５４】
「属性情報」とは、本構成例では、取引を構成する要素又は項目であり、通番に紐付けられて管理される情報である。属性情報には、例えば、取引を行った日時、取引において行った処理（入金処理、出金処理、回金入金処理、回金出金処理等）、処理を行った操作者を特定する情報、伝票金額（入金系処理であれば入金金額、出金系処理であれば出金金額）、科目番号、口座番号、及び、明細データ等が含まれる。属性情報は、どの取引においても同じではなく、取引において行う処理の種類によって、属性情報は変化する。
【００５５】
操作者は、貨幣処理装置１のターミナル部４において操作を行うことにより、取引に伴う処理を実行する。取引の情報は、貨幣処理装置１の記憶部５１に、属性情報と対応付けて記憶される。
【００５６】
ところが、操作者の操作ミス等によって、貨幣処理装置１において誤った処理を実行してしまう場合がある。この場合は、誤った処理の内容が、伝票金額（入金金額）等と紐付けられて、貨幣処理装置１において管理されてしまう。
【００５７】
貨幣処理装置において管理されている取引の属性情報を訂正しようとしても、従来であれば、当該取引を取り消して、新たに、貨幣処理装置１において処理を実行しなければならなかった。これに対し、この貨幣処理装置１は、取引の取り消しを行わなくても、取引の属性情報を訂正することができるよう構成されている。つまり、図２に示すように、貨幣処理装置１は、制御部８が、属性情報の訂正を行う訂正部８１を有している。これにより、操作者の操作が簡略化し、この貨幣処理装置１は使い勝手が向上する。以下、貨幣処理装置１の制御について、図面を参照しながら詳細に説明をする。
【００５８】
図３は、貨幣処理装置１の制御部８が実行するフローチャートを例示している。このフローチャートは、大別して、（１）入金系処理を行うときの制御プロセス（ステップＳ４〜Ｓ７）、（２）出金系処理を行うときの制御プロセス（ステップＳ８〜Ｓ１０）、（３）取引（処理）の取り消しを行うときの制御プロセス（ステップＳ１１〜Ｓ１９）、（４）取引の属性情報の訂正を行うときの制御プロセス（ステップＳ２０〜Ｓ２３）を含んでいる。
【００５９】
以下、図３のフローチャートと、処理の進行に伴ってターミナル部４において表示される画面の遷移（図４〜図６）とを参照しながら、貨幣処理装置１が実行する制御について説明をする。
【００６０】
先ずスタート後のステップＳ１では、操作者が、ターミナル部４において認証操作を行うことにより、貨幣処理装置１にログインする。続くステップＳ２において、操作者は、ターミナル部４において操作を行い、図４Ａのメニュー画面Ｄ１から、これから行おうとする処理を選択する。メニュー画面Ｄ１は、例えば、入金系処理を選択する「入金」、出金系処理を選択する「出金」、他の入金系処理又は出金系処理を選択する「入出金」及び、取引の取り消し又は取引の訂正を選択する「取消／訂正」の各ボタンを有している。
【００６１】
ステップＳ３において制御部８は、操作者が選択をした処理を判断する。例えばメニュー画面Ｄ１において「入出金」を選択したときには、図４Ａに示す新たなメニュー画面Ｄ２が、ターミナル部４に表示される。このメニュー画面Ｄ２は、「回金入金」「回金出金」「締後入金」「締後出金」「現送・現受」「別計算入金」「別計算出金」「得意先持出」「得意先持帰」「支払準備」「一括装填」「一括回収」のボタンを有している。
【００６２】
また、例えばメニュー画面Ｄ１において「取消／訂正」を選択したときには、図５Ａ及び、図６Ａに示す新たなメニュー画面Ｄ６及びＤ１２が、ターミナル部４に表示される。このメニュー画面Ｄ６及びＤ１２は、「個別取引取消」「取引訂正」等のボタンを有している。
【００６３】
これらのメニュー画面Ｄ１、Ｄ２、Ｄ６、Ｄ１２において、操作者の操作により入金系処理が選択されたときには、制御プロセスはステップＳ３からステップＳ４に進み、出金系処理が選択されたときには、制御プロセスはステップＳ３からステップＳ８に進む。また、取引の取り消し処理が選択されたときには、制御プロセスはステップＳ３からステップＳ１１に進み、取引の訂正処理が選択されたときには、制御プロセスはステップＳ３からステップＳ２０に進む。
【００６４】
（入金系処理）
入金系処理が選択されると、貨幣処理装置１において貨幣の計数を行う。例えば図４Ａのメニュー画面Ｄ２において「回金入金」が選択されると、図４Ｂに示すように、入金対象の貨幣を貨幣処理装置１に投入することを促す画面Ｄ３が、ターミナル部４に表示される。この画面Ｄ３に従って、操作者は、貨幣処理装置１に貨幣を投入する。貨幣処理装置１に貨幣が投入されると、貨幣処理装置１は、貨幣の計数を行う（ステップＳ４）。
【００６５】
計数の完了後、貨幣処理装置１は、計数結果を示す画面Ｄ４を、ターミナル部４に表示する。操作者が画面Ｄ４において、必要に応じて情報等の入力を行って（ステップＳ５）、「完了」の操作を行うと、貨幣処理装置１は、処理を確定する（ステップＳ６）。このときに貨幣処理装置１は、回金入金処理を伴う取引の情報を、通番を付して記憶部５１に記憶する。記憶部５１に記憶する情報（つまり、属性情報）には、取引に際し行った処理（ここでは、回金入金処理）、処理を行った日時、処理を行った操作者を特定する情報、伝票金額（つまり、入金金額）、及び、明細データ（金種等データ、具体的には、万〜１、当店券、他店券（１〜１０）、支払準備、持出持帰、現送準備、一括（１〜８）、雑）等が含まれる。尚、「入金」が選択された場合は、記憶部５１に記憶する属性情報には、取引に際し行った処理、処理を行った日時、処理を行った操作者を特定する情報、伝票金額、科目番号、口座番号、及び、明細データが含まれる。
【００６６】
また、図４Ｃに示すように、ターミナル部４に、伝票の印刷を行うための用紙を、プリンタ５０にセットすることを促す画面Ｄ５が表示される。操作者が用紙をセットして伝票が印刷されると、処理が確定する（ステップＳ６）。その後、貨幣処理装置１は、計数をした貨幣を収納部に収納し（ステップＳ７）、入金系処理が完了する。
【００６７】
（出金系処理）
出金系処理が選択されると、図示は省略するが、操作者が入力を行う入力画面が、ターミナル部４に表示される。入力画面において、操作者が必要な情報を入力すると（ステップＳ８）、貨幣処理装置１は、出金系処理を伴う取引の情報を、通番を付して記憶部５１に記憶する。このときに記憶部５１に記憶する情報（つまり、属性情報）には、入金系処理時と同様に、取引に際し行った処理（出金処理や、回金出金処理等）、処理を行った日時、処理を行った操作者を特定する情報、伝票金額（つまり、出金金額）、及び、明細データ（金種等データ、具体的には、万〜１、当店券、他店券（１〜１０）、支払準備、持出持帰、現送準備、一括（１〜８）、雑）等が含まれる。
【００６８】
また、出金系処理においても、ターミナル部４に、伝票の印刷を行うための用紙を、プリンタ５０にセットすることを促す画面が表示される。操作者が用紙をセットして伝票が印刷されると、出金系処理が確定する（ステップＳ９）。その後、貨幣処理装置１は収納部から貨幣を繰り出して、貨幣処理装置１の外に払い出し（ステップＳ１０）、出金系処理が完了する。
【００６９】
（取消処理）
既に行った取引を取り消すときには、操作者は、図５Ａのメニュー画面Ｄ６において、「個別取引取消」を選択する。貨幣処理装置１は、ターミナル部４に画面Ｄ７を表示する。この画面Ｄ７は、取り消し対象の取引を特定するために、操作者が取引の通番を入力する画面である。図３のフローのステップＳ１１において操作者が通番を入力すれば、貨幣処理装置１の制御部８は、指定された通番の取引が、入金系の処理を伴う取引であるか、出金系の処理を伴う取引であるかを判断する（ステップＳ１２）。入金系の処理を伴う取引を取り消すときには、制御プロセスはステップＳ１２からステップＳ１３に進む。一方、出金系の処理を伴う取引を取り消すときには、制御プロセスはステップＳ１２からステップＳ１６に進む。
【００７０】
例えば図５Ｂ及び図５ＣのＤ８〜Ｄ１１の画面は、回金入金処理を伴う取引を取り消すときに、ターミナル部４に表示される画面の一例である。操作者が通番を入力したときに、ターミナル部４には、指定された取引の属性情報を表示する画面Ｄ８が表示される。操作者は、この画面Ｄ８を参照することによって、これから取り消そうとする取引を確認することができる。
【００７１】
画面Ｄ８において、操作者が「完了」を操作すると、取消対象の取引が確定し、ターミナル部４には、次の画面Ｄ９が表示される。この画面Ｄ９には、回金入金処理を実行したときの明細が表示されている。操作者は、この画面Ｄ９において、回金入金処理の取り消しに伴って貨幣処理装置１から払い出される貨幣の明細（金種毎の枚数）を、指定することができる（ステップＳ１３）。操作者が明細を変更しないと、回金入金処理を実行したときと同じ明細で、貨幣が貨幣処理装置１から払い出される。尚、操作者は、この画面Ｄ９において明細を変更することができるのであって、貨幣処理装置１から払い出される金額を変更することはできない。
【００７２】
画面Ｄ９において、操作者が（必要な）入力を行って「完了」を操作すると、取引の取消処理が確定する（ステップＳ１４）。ターミナル部４には、伝票の印刷を行うための用紙を、プリンタ５０にセットすることを促す画面Ｄ１０が表示される。操作者が用紙をセットして伝票が印刷されると、ステップＳ１５において、貨幣処理装置１は、取り消された処理に係る貨幣を払い出す（つまり、出金）。貨幣が払い出されると、払い出された貨幣を取り出すことを促す画面Ｄ１１が、ターミナル部４に表示される。操作者は、払い出された貨幣を取り出す。このとき、取引が取り消された旨のログ情報が記憶される。
【００７３】
一方、操作者が指定をした取引が出金系の処理を伴う取引であれば、出金系の処理を行ったときに出金された貨幣を貨幣処理装置１に返却するために、図示は省略するが、貨幣を貨幣処理装置１に投入することを促す画面が、ターミナル部４に表示される。表示された画面に従って、操作者が貨幣処理措置１に貨幣を投入すると、貨幣処理装置１は、貨幣の計数を行う（ステップＳ１６）。計数の完了後、ターミナル部４には、計数結果を示す画面が表示される。当該画面において、操作者が必要に応じて入力を行い「完了」を操作すると（ステップＳ１７）、貨幣処理装置１は、取引の取消処理を確定する（ステップＳ１８）。その後、貨幣処理装置１は、取り込んだ貨幣を収納部に収納する（ステップＳ１９）。
【００７４】
このように、取引の取り消し処理を行うと、取り消した取引の実行時に貨幣処理装置１が受け入れた貨幣の払い出しや、取り消した取引の実行時に貨幣処理装置１が払い出した貨幣の受け入れが発生するため、処理に要する時間が長くなる場合がある。
【００７５】
（訂正処理）
既に行った取引の属性情報を訂正するときには、操作者は、図６Ａのメニュー画面Ｄ１２において、「取引訂正」を選択する。貨幣処理装置１の制御部８は、ターミナル部４に画面Ｄ１３を表示する。この画面Ｄ１３は、図５Ａの画面Ｄ７と同様に、訂正対象の取引を特定するために、操作者が取引の通番を入力する画面である。図３のフローのステップＳ２０において、操作者が通番を入力すれば、ターミナル部４には、図６Ｂに示すように、指定された取引の属性情報を表示する画面Ｄ１４が表示される。操作者は、この画面Ｄ１４を参照することによって、これから訂正しようとする取引の属性情報を確認することができる。
【００７６】
画面Ｄ１４において、操作者が「完了」を操作すると、当該取引の属性情報の訂正が可能になる。貨幣処理装置１の制御部８は、訂正対象の取引の属性情報に基づいて、操作者が訂正することのできる属性情報及びその選択肢を、ターミナル部４に表示する。
【００７７】
属性情報には、前述したように、取引において行った処理（入金処理、出金処理、回金入金処理、回金出金処理等）、処理を行った日時、処理を行った操作者を特定する情報、伝票金額（入金系処理であれば入金金額、出金系処理であれば出金金額）、科目番号、口座番号、及び、明細データ等が含まれる。これらの属性情報のうち、「処理を行った日時」は、訂正することができない。
【００７８】
取引の属性情報の訂正の具体例としては、入金処理とすべきところを、回金入金処理としてしまったため、取引において行った処理の属性情報を、「回金入金処理」から「入金処理」に訂正する（又は、その逆）というものである。貨幣処理装置１は、図６Ｂの画面Ｄ１５に例示するように、属性情報の訂正処理の際には先ず、訂正することが可能な処理の選択肢を操作者に提示する。ここで、属性情報としての「処理」を訂正する際には、所定の制限がある。つまり、入金系処理は、貨幣を受け入れる処理であるため、入金系処理のカテゴリーにおいて、各処理を相互に変更することが可能である。具体的には、図７に示すように、「入金処理」「締後入金処理」「回金入金処理」「別計算入金処理」「得意先持帰処理」「袋金戻し処理」「一括回収処理」は、相互に変更することが可能である。
【００７９】
同様に、出金系処理は、貨幣を払い出す処理であるため、出金系処理のカテゴリーにおいて、各処理を相互に変更することが可能である。具体的には、「出金処理」「締後出金処理」「回金出金処理」「別計算出金処理」「得意先持出処理」「袋金準備処理」「一括装填処理」は、相互に変更することが可能である。
【００８０】
しかしながら、入金系処理と出金系処理とは、貨幣の取り扱いが共通しないため、入金系処理のカテゴリーに含まれる処理を、出金系処理のカテゴリーに含まれる処理へ変更すること、及び、出金系処理のカテゴリーに含まれる処理を、入金系処理のカテゴリーに含まれる処理へ変更することは、それぞれ適切ではない。そのため、訂正処理においては、入金系処理のカテゴリーと出金系処理のカテゴリーとの間で、相互に、属性情報としての処理を変更することは禁止されている。図７に示すような、属性情報の、訂正が許容される訂正前と訂正後との組み合わせは、貨幣処理装置１の記憶部５１に記憶されている。
【００８１】
画面Ｄ１５の例は、「回金入金処理」という属性情報の訂正に係る画面であるため、この画面Ｄ１５は、訂正することが可能な処理として、入金系処理のカテゴリーに含まれる処理の選択肢のみを有しており、出金系処理のカテゴリーに含まれる処理の選択肢は有していない。このように、操作者が訂正可能な属性情報を、選択肢として提示する構成によって、操作者は、属性情報の訂正を、スムースかつ、適切に行うことができる。
【００８２】
尚、画面Ｄ１５に例示するように、選択肢の中には訂正前と同じ「回金入金処理」の選択肢が含まれている。属性情報としての処理の訂正を行わない場合、操作者は、訂正前と同じ「回金入金処理」を選択する。
【００８３】
また、属性情報を変更しようとする操作者に応じて、許容される訂正と、禁止される訂正とを設定してもよい。例えば、図示は省略するが、役席者が属性情報の変更を行うときには、画面Ｄ１５の例における全ての選択肢を画面に表示することにより、全ての選択肢について訂正を許容する一方、一般行員が、属性情報の訂正を行うときには、画面Ｄ１５の例において「入金処理」「締後入金処理」「回金入金処理」「別計算入金処理」及び「得意先持帰処理」の選択肢のみを画面に表示し、「袋金戻し処理」及び「一括回収処理」の選択肢は画面に表示しないとしてもよい。こうした訂正の制限に関する情報も、記憶部５１に記憶されている。属性情報の訂正を、操作者に応じて制限することで、一般行員は、属性情報を「袋金戻し処理」及び「一括回収処理」へ訂正することが禁止されることになり、権限を有しない者が属性情報を訂正することを防止することができる。取引の履歴を適切に管理することができる。
【００８４】
画面Ｄ１５において訂正後の処理を選択すると、図３のフローチャートにおいて、制御プロセスは、ステップＳ２１からステップＳ２２に移行する。ターミナル部４には、次の画面Ｄ１６が表示される。この画面Ｄ１６は、訂正後の処理に関する属性情報の変更に係る画面である。この画面Ｄ１６において操作者は、属性情報のうちの、科目番号や口座番号等を訂正することが可能である。例えば「回金入金処理」においては、「科目番号」及び「口座番号」は不要であるため、これらは属性情報ではないものの、「入金処理」においては、「科目番号」及び「口座番号」は必要であるため、これらは属性情報である。画面Ｄ１５において属性情報を、「回金入金処理」から「入金処理」に訂正したときには、「科目番号」及び「口座番号」の入力が新たに必要になる。画面Ｄ１６には、処理を訂正することに伴い、訂正後の処理において新たに必要になった属性情報や、訂正前及び訂正後の両方処理において必要な属性情報が表示されている。訂正前と訂正後との間において、入力が必要となる属性情報に関するデータも、記憶部５１に予め記憶されている。
【００８５】
操作者は、画面Ｄ１６において表示されている属性情報の全てについて入力を行うと、訂正後の処理の特定に必要な属性情報の入力が完了する。訂正前及び訂正後の両方の処理において必要な属性情報については、訂正前の属性情報を、画面Ｄ１６に表示しておいてもよい。訂正前の属性情報を画面Ｄ１６に表示することにより、操作者は、訂正が不要な属性情報を改めて入力する必要がなくなり、操作者の操作を簡便にすることができる。これは、操作ミスを少なくする点でも有利である。
【００８６】
このように、操作者に、処理の訂正に伴い入力が必要になる属性情報を、ターミナル部４に表示することによって、操作者は、属性情報の訂正をスムースかつ、適切に行うことができる。
【００８７】
ここで、図８には、一例として「入金処理」「回金入金処理」「出金処理」「回金出金処理」において訂正が許容される属性情報を示している。「入金処理」「回金入金処理」「出金処理」「回金出金処理」の全てにおいて、処理を行った操作者（つまり、担当者）のＩＤ番号及び名前の訂正は可能である。また、「入金処理」「回金入金処理」「出金処理」「回金出金処理」の全てにおいて、伝票金額の訂正は禁止される。伝票金額の訂正が必要なときには、属性情報の訂正変更処理ではなく、取引の取消処理を行う。
【００８８】
また、「入金処理」「出金処理」においては、科目番号と口座番号との訂正が可能である。尚、前述の通り、「回金入金処理」「回金出金処理」においては、科目番号と口座番号とは属性情報ではないため、これらを訂正することもない。
【００８９】
明細データ（金種データ）については、「入金処理」「回金入金処理」「出金処理」「回金出金処理」の全てにおいて、一部の変更が許可されている。具体的には、貨幣処理装置１が計数を行った明細データは訂正が禁止されるのに対し、手入力による明細データは訂正が許容される。入金系処理において、例えば正券と損券とが混在しているようなときには、貨幣処理装置１によって正券を計数すると共に、損券は、別途計数を行い、損券の計数結果を、貨幣処理装置１において手入力により加えることによって、当該入金系処理の伝票金額とする場合がある。このような場合において、手入力による明細データは、訂正が許容される。貨幣処理装置１において貨幣の再計数が不要なためである。
【００９０】
但し、明細データは、訂正前と訂正後との間において金額が同じであることが、訂正の条件である。
【００９１】
ここで、訂正可能な属性情報の具体例を記載すると、
（１）取引に伴い実行した処理の情報（入金処理、締後入金処理、回金入金処理、別計算入金処理、得意先持帰処理、袋金戻し処理、一括回収処理（例えば１〜８）、出金処理、締後出金処理、回金出金処理、別計算出金処理、得意先持出処理、袋金準備処理、一括装填処理（例えば１〜８））
（２）操作者のＩＤ及び名前
（３）科目番号（例えば科目１〜科目２０）尚、科目番号は、入金処理、出金処理、締後入金処理、締後出金処理、得意先持帰処理において用いる属性情報である。
（４）区分番号（例えば区分１〜区分２０）尚、区分番号は、別計算入金処理、及び、別計算出金処理において用いる属性情報である。
（５）持出番号  尚、持出番号は、得意先持出処理、及び、得意先持帰処理において用いる属性情報であり、得意先持出処理時に採番される。
（６）支払準備番号  尚、支払準備番号は、袋金準備処理、及び、袋金戻し処理において用いる属性情報であり、袋金準備処理時に採番される。
（７）手入力金種  （例えば、万〜１、当店券、他店券、支払準備、持出持帰、現送準備、一括処理（１〜８）、雑）
である。
【００９２】
画面Ｄ１５及び画面Ｄ１６において操作者が必要な変更を行って、画面Ｄ１６の「完了」を操作すると、ターミナル部４には、伝票の印刷を行うための用紙を、プリンタ５０にセットすることを促す画面Ｄ１７（図６Ｃ）が表示される。操作者が用紙をセットして伝票が印刷されると、訂正処理が確定する（ステップＳ２３）。取引の属性情報が変更されて、貨幣処理装置１の記憶部５１に再記憶される。このとき、訂正処理が行われた旨や、訂正後の取引内容がログ情報として記憶される。
【００９３】
このように、訂正処理を行うことによって、貨幣を貨幣処理装置１から払い出したり、貨幣処理装置１に貨幣を収納したりしなくても、取引に係る属性情報を変更することができる。
【００９４】
（訂正処理の時期的制限）
ここで、訂正処理が可能なタイミングについて説明をする。銀行等の、貨幣に関する取引を行う営業店舗においては、所定の期間に行った取引結果を集計する締め処理が行われる。締め処理は、例えば終業時に、当日に行った取引結果を集計するために行われる。締め処理は、操作者が貨幣処理装置１を操作することにより、実行することができる。
【００９５】
取引を構成する属性情報の訂正は、何時でも行うことができるのではなく、訂正は、所定のタイミングに制限される。具体的には、締め処理を行った後は、属性情報を訂正することは禁止される。
【００９６】
図９は、属性情報の訂正が許可されるタイミングと、訂正が禁止されるタイミングとを、例示的に示している。同図は、銀行の営業店舗において、１２月６日と１２月７日との２営業日について、当該営業店舗において行われた取引の締め処理のタイミングを示している。同図においては、左から右に時間が流れている。「システム日付」は、現実の日付の遷移を示しており、「取引日付」は、貨幣処理装置１において管理している取引上の日付の遷移を示している。例えば１２月６日の終業時に締め処理を行って、集計した取引のデータクリア処理を行った後は、原則として取引は行わないが、翌日扱い（１２月７日扱い）として、１２月６日に取引を行う場合がある。この場合、当該取引の実行は、実際は１２月６日であるものの、取引上の日付は、１２月７日である。
【００９７】
図９に示すように、１２月６日の終業時に、１２月６日分の、入金処理や出金処理等を含む全ての取引について締め処理及びデータクリア処理（つまり、締め処理に含まれる取引データを消去する処理）を行うと、当該１２月６日分の取引については、訂正処理を行うことができなくなる。このように、締め処理の実行後に、属性情報の訂正を制限することによって、取引情報の管理を適切に行うことができる。
【００９８】
ここで、１２月６日に、翌日扱いで行った締後入金処理や締後出金処理を伴う取引は、１２月６日分の取引に含まれず、１２月７日分の取引に含まれるため、１２月６日の締め処理及びデータクリア処理の後であっても、属性情報の訂正が可能である。
【００９９】
また、前記と同様に、１２月７日の終業時に、１２月７日分の取引について締め処理及びデータクリア処理を行うと、当該１２月７日分の取引については、訂正処理を行うことができなくなる。１２月７日分の取引には、翌日扱いとして１２月６日に行った取引も含まれる。
【０１００】
尚、締め処理及びデータクリア処理の後であっても、データクリア処理を取り消す処理を行うと、締め処理を行っていない状態に戻るため、属性情報を訂正することが可能になる。
【０１０１】
（取引のログ情報）
貨幣処理装置１の記憶部５１は、取引情報を記憶しているため、操作者が所定の操作を行うことによって、例えば図１０に示すように、取引のログ情報を、ターミナル部４に表示することが可能である。図１０のログ画面Ｄ１８には、これまでに行った取引が、リストの形式で表示されている。また、画面Ｄ１８において、取り消された取引はリストから除外されるのではなく、リストに残ると共に、処理が取り消されたことが明示されている（通番３７の「取消済」の取引を参照）。また、取り消し処理を実行したことも、一取引としてリストに残っており、画面Ｄ１８おいては、取消処理を実行した取引（通番３８）と、取り消し処理の対象となった取引（通番３７）とが対応することが表示されている。
【０１０２】
また、属性情報の訂正を行った取引については、訂正が行われたことが示される（通番３９の「訂正済み」の取引を参照）。この場合は、訂正前の取引（通番３９）と、訂正後の取引（通番４０）との二つの取引が、リストに含まれている。
【０１０３】
操作者が、画面Ｄ１８に表示されている取引を選択操作すると、当該取引の属性情報が、ターミナル部４に表示される。また、取引の属性情報が、プリンタ５０によって印字される。図１１は、図１０の画面Ｄ１８における通番４０の取引の印字例を示している。この取引は、属性情報の訂正後の取引であり、ジャーナルには、訂正後の取引の属性情報（通番４０）と、訂正前の取引の属性情報（通番３９）との両方が、印字されている。
【０１０４】
（貨幣処理システムの構成例）
ここに開示する技術は、図１に示す貨幣処理装置１に適用することに限定されない。図１２は、ここに開示する技術の適用例としての、貨幣処理システム１０を示している。貨幣処理システム１０は、前述した貨幣処理装置１を複数台備えている。図１２の構成例では、貨幣処理システム１０は、第一の貨幣処理装置１１と、第二の貨幣処理装置１２との二台の貨幣処理装置を備えているが、貨幣処理装置１は三台以上であってもよい。第一の貨幣処理装置１１と、第二の貨幣処理装置１２とは、同じ営業店舗において設置されていてもよいし、異なる営業店舗に設置されていてもよい。
【０１０５】
第一の貨幣処理装置１１及び第二の貨幣処理装置１２はそれぞれ、ネットワーク７に接続されている。ネットワーク７は、例えば、貨幣処理装置１が設置されている施設内に構築されたＬＡＮ（Local Area Network）としてもよいし、インターネットとしてもよい。
【０１０６】
ネットワーク７には、管理コンピュータ９が接続されている。管理コンピュータ９は、貨幣処理システム１０を管理するためのコンピュータである。管理コンピュータ９は、例えば汎用のコンピュータによって構成してもよい。管理コンピュータ９は、第一の貨幣処理装置１１及び／又は第二の貨幣処理装置１２が設置されている営業店舗に、設置される場合、又は、例えば銀行の本店や本部に設置される場合がある。
【０１０７】
貨幣処理システム１０において、操作者は、第一の貨幣処理装置１１、又は、第二の貨幣処理装置１２を操作することによって、取引に伴う各種の処理を実行する。取引に関する属性情報は、第一の貨幣処理装置１１、及び、第二の貨幣処理装置１２から、ネットワーク７を介して管理コンピュータ９に送られ、管理コンピュータ９が、各取引の属性情報を記憶する。尚、第一の貨幣処理装置１１、及び、第二の貨幣処理装置１２がそれぞれ、取引に関する属性情報を記憶してもよい。
【０１０８】
操作者が、属性情報の訂正を行うときには、管理コンピュータ９を操作することによって行うようにしてもよいし、第一の貨幣処理装置１１又は第二の貨幣処理装置１２のターミナル部４を操作することによって行うようにしてもよい。貨幣処理システム１０における属性情報の訂正処理は、前述した貨幣処理装置１における属性情報の訂正処理と同様にしてもよい。このような貨幣処理システム１０においても、属性情報の訂正が実現する。
【０１０９】
尚、貨幣処理システム１０においては、図示は省略するが、変更部としての操作端末（例えばスマートホンやタブレット端末等の、ネットワーク７に接続される端末）を備えるようにし、操作者が、当該操作端末を操作することによって、管理コンピュータ９、又は、第一の貨幣処理装置１１若しくは第二の貨幣処理装置１２に記憶されている取引の属性情報を訂正する処理を行うようにしてもよい。
【０１１０】
（他の実施形態）
尚、前記の貨幣処理装置１又は貨幣処理システム１０においては、属性情報としての金額情報（つまり、伝票金額）を訂正することができないとしているが、貨幣処理装置１又は貨幣処理システム１０において、金額情報の訂正を可能にしてもよい。この場合、金額情報の訂正に伴い、貨幣処理装置１に不足分の貨幣を収納したり、貨幣処理装置１から余剰分の貨幣を払い出したりしてもよい。不足分、又は、余剰分の貨幣を出し入れするだけであれば、属性情報の訂正処理に、長い時間がかかってしまうことを避けることができる。
【０１１１】
尚、貨幣処理装置１は、いわゆる出納機でなくてもよい。ここに開示する技術は、貨幣の処理を行う貨幣処理装置（例えば、オートキャッシャー、売上入金機等）、及び、これらの貨幣処理装置を含んだ貨幣処理システムに、広く適用することができる。
【符号の説明】
【０１１２】
１  貨幣処理装置
１０  貨幣処理システム
１００  バラ紙幣処理装置（処理部）
２００  帯封紙幣処理装置（処理部）
３００  バラ硬貨処理装置（処理部）
４００  包装硬貨処理装置（処理部）
５１  記憶部
５００  損貨・記念貨処理装置（処理部）
６００  有価媒体処理装置（処理部）
７００  貨幣保管装置（処理部）
８  制御部（変更部）
８１  訂正部（変更部）
【図１】
2019169071.tif 000003
【図２】
2019169071.tif 000004
【図３】
2019169071.tif 000005
【図４Ａ】
2019169071.tif 000006
【図４Ｂ】
2019169071.tif 000007
【図４Ｃ】
2019169071.tif 000008
【図５Ａ】
2019169071.tif 000009
【図５Ｂ】
2019169071.tif 000010
【図５Ｃ】
2019169071.tif 000011
【図６Ａ】
2019169071.tif 000012
【図６Ｂ】
2019169071.tif 000013
【図６Ｃ】
2019169071.tif 000014
【図７】
2019169071.tif 000015
【図８】
2019169071.tif 000016
【図９】
2019169071.tif 000017
【図１０】
2019169071.tif 000018
【図１１】
2019169071.tif 000019
【図１２】
2019169071.tif 000020